(57)【特許請求の範囲】
【請求項１】
無線伝送データを無線で無線端末と送受信する基地局の無線伝送機能を１つの中央局と１つ又は複数の分散局に分割し、前記無線伝送データを光信号に変換して前記中央局と前記分散局との間を光伝送する分散型無線通信基地局を有する無線通信システムであって、
前記分散型無線通信基地局は、
ＣＲＣ（Ｃｙｃｌｉｃ  Ｒｅｄｕｎｄａｎｃｙ  Ｃｈｅｃｋ）ビット系列の付与、無線伝送用の符号化、並びにスクランブリングが行われた前記無線伝送データにデータ開始を指示するビット系列とデータ終了を指示するビット系列を付与し、前記ビット系列が付与された前記無線伝送データ間にアイドル信号系列を挿入して光伝送信号を生成するデータ制御部と、
受信した前記光伝送信号から前記ビット系列に基づいて前記無線伝送データを検出するデータ検出部と、
を有することを特徴とする無線通信システム。
【請求項２】
前記データ制御部は、
所定の頻度で、光伝送区間の異常を検知する監視信号を前記無線伝送データの代替とした前記光伝送信号を生成し、
前記データ検出部は、
前記監視信号を検出し、光伝送区間の異常の有無を検知する
ことを特徴とする請求項１に記載の無線通信システム。
【請求項３】
前記データ制御部は、
所定の頻度で、光伝送区間の異常を検知する監視用ＣＲＣを前記無線伝送データに付加し、
前記データ検出部は、
前記監視用ＣＲＣを検出し、光伝送区間の異常の有無を検知する
ことを特徴とする請求項１に記載の無線通信システム。
【請求項４】
前記分散型無線通信基地局は、
前記データ制御部が生成した前記光伝送信号を光伝送する前に、前記光伝送信号を光伝送用符号で符号化する光符号化部と、
受信した前記光伝送信号を前記伝送用符号で復号して前記データ検出部に渡す光復号部と、
をさらに有することを特徴とする請求項１から３のいずれかに記載の無線通信システム。
【請求項５】
無線伝送データを無線で無線端末と送受信する基地局の無線伝送機能を１つの中央局と１つ又は複数の分散局に分割し、前記無線伝送データを光信号に変換して前記中央局と前記分散局との間を光伝送する分散型無線通信基地局を有する無線通信システムの通信方法であって、
前記分散型無線通信基地局において、
ＣＲＣ（Ｃｙｃｌｉｃ  Ｒｅｄｕｎｄａｎｃｙ  Ｃｈｅｃｋ）ビット系列の付与、無線伝送用の符号化、並びにスクランブリングが行われた前記無線伝送データにデータ開始を指示するビット系列とデータ終了を指示するビット系列を付与し、前記ビット系列が付与された前記無線伝送データ間にアイドル信号系列を挿入して光伝送信号を生成するデータ制御手順と、
受信した前記光伝送信号から前記ビット系列に基づいて前記無線伝送データを検出するデータ検出手順と、
を行うことを特徴とする通信方法。
【請求項６】
前記データ制御手順で、
所定の頻度で、光伝送区間の異常を検知する監視信号を前記無線伝送データの代替とした前記光伝送信号を生成し、
前記データ検出手順で、
前記監視信号を検出し、光伝送区間の異常の有無を検知する
ことを特徴とする請求項５に記載の通信方法。
【請求項７】
前記データ制御手順で、
所定の頻度で、光伝送区間の異常を検知する監視用ＣＲＣを前記無線伝送データに付加し、
前記データ検出手順で、
前記監視用ＣＲＣを検出し、光伝送区間の異常の有無を検知する
ことを特徴とする請求項５に記載の通信方法。
【請求項８】
前記分散型無線通信基地局において、
前記データ制御手順で生成した前記光伝送信号を光伝送する前に、前記光伝送信号を光伝送用符号で符号化する光符号化手順と、
前記データ検出手順の前に、受信した前記光伝送信号を前記伝送用符号で復号する光復号手順と、
をさらに行うことを特徴とする請求項５から７のいずれかに記載の通信方法。
【発明の詳細な説明】
【技術分野】
【０００１】
本発明は、基地局機能の一部を搭載した複数のアンテナユニットを分散局として物理的に張り出し、中央局で分散局を制御する分散型無線通信基地局を備える無線通信システム、及びその通信方式に関するものである。
【背景技術】
【０００２】
無線通信システム、とりわけ移動体通信システムにおいて、基地局機能の一部を搭載した複数の分散局を物理的に張り出す構成が検討されている（例えば、非特許文献１を参照。）。分散局を張り出した基地局は、中央局として複数の分散局を制御する機能を担う。中央局から分散局を張り出すシステム構成の中でも、図１に示すように、中央局１１０に上位層機能と物理層機能の一部を搭載し、分散局１２０に残りの物理層機能を搭載するシステム構成が検討されている（例えば、非特許文献２を参照。）。
【０００３】
中央局−分散局間の物理層機能の振り分けとして、信号の誤り検出を担うＣＲＣ（Ｃｙｃｌｉｃ  Ｒｅｄｕｎｄａｎｃｙ  Ｃｈｅｃｋ）の機能と誤り訂正の役割を担う符号化の機能および符号化された信号ビット系列の並びをランダム化する役割を担うスクランブリングの機能を中央局に残し、それ以降の物理層機能を分散局に搭載する構成が考えられる。ここで、中央局にはＣＲＣ、符号化、スクランブリング機能以外にも再送制御等の機能が搭載される場合もある。なお、以上の機能は全て無線伝送用の機能である。
【０００４】
従来技術では、スクランブリングされた信号ビット系列を中央局−分散局間で光伝送する際に、イーサネット（登録商標）のような伝送インタフェースが用いられる（例えば、非特許文献３を参照。）。従来技術を用いた中央局と分散局の装置構成を図２に示す。ダウンリンクにおいては、まず中央局１１０で、上位層から受け取った信号ビット系列に対して無線伝送用のＣＲＣの付与、符号化、スクランブリングを行う。この段階での信号を無線伝送データと呼ぶことにする。
【０００５】
その後、無線伝送データに対してフレーム構築、フレーム制御を行った後、光伝送用符号の符号化、Ｅ／Ｏ（Ｅｌｅｃｔｒｏ−Ｏｐｔｉｃａｌ）変換を経て、光伝送が行われる。ここで、フレーム構築には、伝送する信号ビット系列に対して、ヘッダおよび光伝送用のＣＲＣを付与する機能があり、フレーム制御にはフレームの開始と終了を指示するビット系列を挿入する機能とフレーム間に特定のビット系列のアイドル信号系列を送信する機能がある。また、光伝送用符号の符号化にはクロック抽出を容易にするために特定のビット数のブロックごとにスクランブリングを行う機能が必要である。また、Ｅ／Ｏ変換には、光信号を発生させるＬＤ（Ｌａｓｅｒ  Ｄｉｏｄｅ）が含まれる。図３に、従来技術の光伝送におけるフレーム構築、フレーム制御、符号化の処理を示す。
【０００６】
分散局１２０では、Ｏ／Ｅ（Ｏｐｔｉｃａｌ−Ｅｌｅｃｔｒｏ）変換を経て、光伝送用符号の復号、フレーム検出、フレーム解析が行われる。ここで、Ｏ／Ｅ変換には、光信号を電気信号に変換するＰＤ（Ｐｈｏｔｏ  Ｄｉｏｄｅ）、変換された電気信号のクロック抽出を行うＣＤＲ（Ｃｌｏｃｋ  Ｄａｔａ  Ｒｅｃｏｖｅｒｙ）が含まれる。また、光伝送用符号の復号には符号化でスクランブリングしたブロックごとにデスクランブリングを行う機能が必要である。
【０００７】
また、フレーム検出には、フレームの開始と終了を指示するビット系列からフレームの有無を検出する機能があり、フレーム解析には、ヘッダの情報を読み込んで信号ビット系列を取り出す機能と光伝送用のＣＲＣ検査を行う機能が含まれる。また、フレーム解析で取り出された信号ビット系列に対して、無線伝送用の変調が行われた後、ＲＦ信号生成を経て無線伝送が行われる。なお、変調の前後には再送制御や無線周波数リソースの割り当てなどが行われる場合もある。無線端末１０１では、ＲＦ信号受信を経て復調、無線伝送用のデスクランブリング、復号、ＣＲＣ検査が行われ、上位層にデータが引き渡される。
【０００８】
一方、アップリンクについては、無線端末１０１において、上位層から受け取った信号ビット系列に対して無線伝送用のＣＲＣ付与、符号化、スクランブリング、変調が行われ、ＲＦ信号生成を経て無線伝送が行われる。分散局１２０では、ＲＦ信号受信を経て復調が行われ、フレーム構築、フレーム制御、光伝送用符号の符号化が行われ、Ｅ／Ｏ変換を経て光伝送が行われる。中央局１１０では、Ｏ／Ｅ変換を経て、光伝送用符号の復号、フレーム検出、フレーム解析が行われ、その後、無線伝送用のデスクランブリング、復号、ＣＲＣ検査が行われ、上位層にデータが引き渡される。
【先行技術文献】
【非特許文献】
【０００９】
【非特許文献１】Ｃｈｉｎａ  Ｍｏｂｉｌｅ  Ｒｅｓｅａｒｃｈ  Ｉｎｓｔｉｔｕｔｅ，  “Ｃ−ＲＡＮ  Ｔｈｅ  Ｒｏａｄ  Ｔｏｗａｒｄｓ  Ｇｒｅｅｎ  ＲＡＮ” ，  ２０１１，  ｈｔｔｐ：／／ｌａｂｓ．ｃｈｉｎａｍｏｂｉｌｅ．ｃｏｍ／ｃｒａｎ／
【非特許文献２】Ｕ．  Ｄｏｔｓｃｈ  ｅｔ．  ａｌ．，  “Ｑｕａｎｔｉｔａｔｉｖｅ  Ａｎａｌｙｓｉｓ  ｏｆ  Ｓｐｌｉｔ  Ｂａｓｅ  Ｓｔａｔｉｏｎ  Ｐｒｏｃｅｓｓｉｎｇ  ａｎｄ  Ｄｅｔｅｒｍｉｎａｔｉｏｎ  ｏｆ  Ａｄｖａｎｔａｇｅｏｕｓ  Ａｒｃｈｉｔｅｃｔｕｒｅｓ  ｆｏｒ  ＬＴＥ”，  Ｂｅｌｌ  Ｌａｂｓ  Ｔｅｃｈ．  Ｊ．，  ｖｏｌ．１８，  ｉｓｓｕｅ  １，  ２０１３．
【非特許文献３】ＩＥＥＥ，  “８０２．３ａｅ−２００２   −   ＩＥＥＥ  Ｓｔａｎｄａｒｄ  ｆｏｒ  Ｉｎｆｏｒｍａｔｉｏｎ  Ｔｅｃｈｎｏｌｏｇｙ−  Ｔｅｌｅｃｏｍｍｕｎｉｃａｔｉｏｎｓ  ａｎｄ  Ｉｎｆｏｒｍａｔｉｏｎ  Ｅｘｃｈａｎｇｅ  Ｂｅｔｗｅｅｎ  Ｓｙｓｔｅｍｓ−  Ｌｏｃａｌ  ａｎｄ  Ｍｅｔｒｏｐｏｌｉｔａｎ  Ａｒｅａ  Ｎｅｔｗｏｒｋｓ−  Ｓｐｅｃｉｆｉｃ  Ｒｅｑｕｉｒｅｍｅｎｔｓ  Ｐａｒｔ  ３：  Ｃａｒｒｉｅｒ  Ｓｅｎｓｅ  Ｍｕｌｔｉｐｌｅ  Ａｃｃｅｓｓ  Ｗｉｔｈ  Ｃｏｌｌｉｓｉｏｎ  Ｄｅｔｅｃｔｉｏｎ  （ＣＳＭＡ／ＣＤ）  Ａｃｃｅｓｓ  Ｍｅｔｈｏｄ  ａｎｄ  Ｐｈｙｓｉｃａｌ  Ｌａｙｅｒ  Ｓｐｅｃｉｆｉｃａｔｉｏｎｓ  Ａｍｅｎｄｍｅｎｔ：  Ｍｅｄｉａ  Ａｃｃｅｓｓ  Ｃｏｎｔｒｏｌ  （ＭＡＣ）  Ｐａｒａｍｅｔｅｒｓ，  Ｐｈｙｓｉｃａｌ  Ｌａｙｅｒｓ，  ａｎｄ  Ｍａｎａｇｅｍｅｎｔ  Ｐａｒａｍｅｔｅｒｓ  ｆｏｒ  １０  Ｇｂ／Ｓ  Ｏｐｅｒａｔｉｏｎ，”  ２００２．
【発明の概要】
【発明が解決しようとする課題】
【００１０】
従来技術で中央局−分散局間で信号ビット系列を伝送する際には、無線伝送機能としてＣＲＣの付与やスクランブリングが既に行われているにも関わらず、光伝送機能としてさらにＣＲＣの付与やスクランブリングが行われることになる。このため、従来技術には、中央局から分散局にかけての伝送システムに冗長な機能が存在することになり、遅延や装置コストが増大するという課題がある。また、従来技術では、光伝送においてフレーム構築を行うために、オーバーヘッドによって遅延の増大を引き起こすという課題もある。
【００１１】
そこで、本発明は、上記課題を解決するために、伝搬遅延や装置コストを低減できる分散型無線通信基地局を備える無線通信システム及びその通信方法を提供することを目的とする。
【課題を解決するための手段】
【００１２】
本発明は、送信信号に対して、無線伝送機能としてＣＲＣの付与やスクランブリングが既に行われていることを利用する。中央局−分散局間の光伝送において、フレーム構築および解析を行わず、無線伝送データ部分のみについて制御を行うとともに、無線伝送機能と重複するスクランブリングおよびデスクランブリングを目的とする光伝送用符号の符号化および復号の機能を削減することで、伝搬遅延や装置コストの削減を図ることとした。
【００１３】
具体的には、本発明に係る無線通信システムは、無線伝送データを無線で無線端末と送受信する基地局の無線伝送機能を１つの中央局と１つ又は複数の分散局に分割し、前記無線伝送データを光信号に変換して前記中央局と前記分散局との間を光伝送する分散型無線通信基地局を有する無線通信システムであって、
前記分散型無線通信基地局は、
ＣＲＣビット系列の付与、無線伝送用の符号化、並びにスクランブリングが行われた前記無線伝送データにデータ開始を指示するビット系列とデータ終了を指示するビット系列を付与し、前記ビット系列が付与された前記無線伝送データ間にアイドル信号系列を挿入して光伝送信号を生成するデータ制御部と、
受信した前記光伝送信号から前記ビット系列に基づいて前記無線伝送データを検出するデータ検出部と、
を有することを特徴とする。
【００１４】
また、本発明に係る通信方法は、無線伝送データを無線で無線端末と送受信する基地局の無線伝送機能を１つの中央局と１つ又は複数の分散局に分割し、前記無線伝送データを光信号に変換して前記中央局と前記分散局との間を光伝送する分散型無線通信基地局を有する無線通信システムの通信方法であって、
前記分散型無線通信基地局において、
ＣＲＣビット系列の付与、無線伝送用の符号化、並びにスクランブリングが行われた前記無線伝送データにデータ開始を指示するビット系列とデータ終了を指示するビット系列を付与し、前記ビット系列が付与された前記無線伝送データ間にアイドル信号系列を挿入して光伝送信号を生成するデータ制御手順と、
受信した前記光伝送信号から前記ビット系列に基づいて前記無線伝送データを検出するデータ検出手順と、
を行うことを特徴とする。
【００１５】
本発明は、データに光伝送用のヘッダやトレーラを付与したフレームを形成せずに、中央局と分散局との間で光伝送を行う。このため、本発明は、伝送データのオーバーベッドを縮小でき、且つ通信システムから重複した機能を削減できることから伝搬遅延や装置コストを低減できる。
【００１６】
従って、本発明は、伝搬遅延や装置コストを低減できる分散型無線通信基地局を備える無線通信システム及びその通信方法を提供することができる。
【００１７】
本発明に係る無線通信システムの前記データ制御部は、所定の頻度で、光伝送区間の異常を検知する監視信号を前記無線伝送データの代替とした前記光伝送信号を生成し、前記データ検出部は、前記監視信号を検出し、光伝送区間の異常の有無を検知することを特徴とする。
【００１８】
本発明に係る通信方法は、前記データ制御手順で、所定の頻度で、光伝送区間の異常を検知する監視信号を前記無線伝送データの代替とした前記光伝送信号を生成し、前記データ検出手順で、前記監視信号を検出し、光伝送区間の異常の有無を検知することを特徴とする。
【００１９】
本発明に係る無線通信システムの前記データ制御部は、所定の頻度で、光伝送区間の異常を検知する監視用ＣＲＣを前記無線伝送データに付加し、前記データ検出部は、前記監視用ＣＲＣを検出し、光伝送区間の異常の有無を検知することを特徴とする。
【００２０】
本発明に係る通信方法は、前記データ制御手順で、所定の頻度で、光伝送区間の異常を検知する監視用ＣＲＣを前記無線伝送データに付加し、前記データ検出手順で、前記監視用ＣＲＣを検出し、光伝送区間の異常の有無を検知することを特徴とする。
【００２１】
本発明は、中央局もしくは無線端末の受信信号品質が悪い場合に、中央局-無線端末間の伝送路において光伝送区間で異常があるのか、無線伝送区間のチャネル品質が劣化しているかの切り分けを行うことができる。
【００２２】
本発明に係る無線通信システムの前記分散型無線通信基地局は、
前記データ制御部が生成した前記光伝送信号を光伝送する前に、前記光伝送信号を光伝送用符号で符号化する光符号化部と、
受信した前記光伝送信号を前記伝送用符号で復号して前記データ検出部に渡す光復号部と、
をさらに有してもよい。
【００２３】
本発明に係る通信方法は、前記分散型無線通信基地局において、
前記データ制御手順で生成した前記光伝送信号を光伝送する前に、前記光伝送信号を光伝送用符号で符号化する光符号化手順と、
前記データ検出手順の前に、受信した前記光伝送信号を前記伝送用符号で復号する光復号手順と、
をさらに行ってもよい。
【発明の効果】
【００２４】
本発明は、伝搬遅延や装置コストを低減できる分散型無線通信基地局を備える無線通信システム及びその通信方法を提供することができる。
【図面の簡単な説明】
【００２５】
【図１】分散型無線通信基地局を有する無線通信システムの構成を説明する図である。
【図２】分散型無線通信基地局を有する無線通信システムの機能を説明する図である。
【図３】分散型無線通信基地局が行う光伝送の処理を説明する図である。
【図４】本発明に係る無線通信システムの機能を説明する図である。
【図５】本発明に係る無線通信システムの分散型無線通信基地局が行う光伝送の処理を説明する図である。
【図６】本発明に係る無線通信システムの機能を説明する図である。
【図７】本発明に係る無線通信システムの分散型無線通信基地局が行う光伝送の処理を説明する図である。
【図８】本発明に係る無線通信システムの機能を説明する図である。
【図９】本発明に係る無線通信システムの分散型無線通信基地局が行う光伝送の処理を説明する図である。
【図１０】本発明に係る無線通信システムの機能を説明する図である。
【図１１】本発明に係る無線通信システムの分散型無線通信基地局が行う光伝送の処理を説明する図である。
【発明を実施するための形態】
【００２６】
添付の図面を参照して本発明の実施形態を説明する。以下に説明する実施形態は本発明の実施例であり、本発明は、以下の実施形態に制限されるものではない。なお、本明細書及び図面において符号が同じ構成要素は、相互に同一のものを示すものとする。
【００２７】
（実施形態１）
図４は、本実施形態の無線通信システムの機能を説明する図である。本実施形態は、無線伝送データを無線で無線端末１０１と送受信する基地局の無線伝送機能を１つの中央局１１０と１つ又は複数の分散局１２０に分割し、前記無線伝送データを光信号に変換して中央局１１０と分散局１２０との間を光伝送する分散型無線通信基地局を有する無線通信システムであって、
前記分散型無線通信基地局は、
ＣＲＣビット系列の付与、無線伝送用の符号化、並びにスクランブリングが行われた前記無線伝送データにデータ開始を指示するビット系列とデータ終了を指示するビット系列を付与し、前記ビット系列が付与された前記無線伝送データ間にアイドル信号系列を挿入して光伝送信号を生成するデータ制御部４１と、
受信した前記光伝送信号から前記ビット系列に基づいて前記無線伝送データを検出するデータ検出部４２と、
を有することを特徴とする。
【００２８】
また、本実施形態の無線通信システムの通信方法は、前記分散型無線通信基地局において、
ＣＲＣビット系列の付与、無線伝送用の符号化、並びにスクランブリングが行われた前記無線伝送データにデータ開始を指示するビット系列とデータ終了を指示するビット系列を付与し、前記ビット系列が付与された前記無線伝送データ間にアイドル信号系列を挿入して光伝送信号を生成するデータ制御手順と、
受信した前記光伝送信号から前記ビット系列に基づいて前記無線伝送データを検出するデータ検出手順と、
を行うことを特徴とする。
【００２９】
本実施形態では、従来技術におけるフレーム構築およびフレーム解析、フレーム制御およびフレーム解析、符号化および復号の機能が削減される。その代わりに、無線伝送データのみに対してデータの開始と終了を指示するビット系列を挿入する機能と無線伝送データ間に特定のビット系列のアイドル信号系列を挿入する機能を持つデータ制御部４１およびデータの開始と終了を指示するビット系列からデータの有無を検出する機能を持つデータ検出部４２が搭載される。
【００３０】
図５は、本実施形態の無線通信システムの分散型無線通信基地局が行う光伝送の処理を説明する図である。本無線通信システムは、無線伝送データに従来技術で行われているヘッダや光伝送用のＣＲＣの付与を行わない。すなわち、本無線通信システムは、光伝送用のフレーム構成を行わない。本無線通信システムは、無線伝送データに対してデータの開始と終了を指示するビット系列の挿入し、無線伝送データ間に特定のビット系列のアイドル信号系列の挿入を行う。その後、従来技術で行われている光伝送用符号の符号化を行わず、そのままＥ／Ｏ変換を行う。
【００３１】
図５の光伝送データの構造と従来技術の図３の光伝送データの構造とを比べると、本実施形態は、フレーム構築と符号化の処理が削減される上に、ヘッダや光伝送用のＣＲＣを付与しないのでデータのオーバーヘッドが削減されている。なお、これらの手法は図４のようにダウンリンクとアップリンクの両方に適用してもよいが、ダウンリンクのみまたはアップリンクのみに適応してもよい。
【００３２】
（実施形態２）
図４で説明した無線通信システムにおいて、光伝送を行う際に、無線伝送データの通信に影響を与えない頻度で特定のビット系列の監視信号を挿入してもよい。図６は、本実施形態の無線通信システムの分散型無線通信基地局が行う光伝送の処理を説明する図である。本実施形態の分散型無線通信基地局において、データ制御部４１は、所定の頻度で、光伝送区間の異常を検知する監視信号を前記無線伝送データの代替とした前記光伝送信号を生成し、データ検出部４２は、前記監視信号を検出し、光伝送区間の異常の有無を検知することを特徴とする。
【００３３】
また、本実施形態の無線通信システムの通信方法は、前記データ制御手順で、所定の頻度で、光伝送区間の異常を検知する監視信号を前記無線伝送データの代替とした前記光伝送信号を生成し、前記データ検出手順で、前記監視信号を検出し、光伝送区間の異常の有無を検知することを特徴とする。
【００３４】
本実施形態の分散型無線通信基地局は、図４の構成に、監視信号付与部６１と監視信号検査部６２が追加される。監視信号付与部６１と監視信号検査部６２は、監視信号を用いて、中央局１１０もしくは無線端末１０１の受信信号品質が悪い場合に、中央局−無線端末間の伝送路において光伝送区間で異常があるのか、無線伝送区間のチャネル品質が劣化しているかの切り分けを行う。既知の監視信号の検査結果で、光伝送された信号に誤りがあることが検出されれば、光伝送区間に異常があるとみなし、異常通知を行う。光伝送区間異常通知の通知先は例えば保守運用システムである。なお、独自の系列を監視信号のビット系列としてもよいし、アイドル信号系列の集合を監視信号のビット系列としてもよい。
【００３５】
図７は、本実施形態の無線通信システムの分散型無線通信基地局が行う光伝送の処理を説明する図である。本無線通信システムは、無線伝送データに従来技術で行われているヘッダや光伝送用のＣＲＣの付与を行わない。そして、本無線通信システムは、無線伝送データの通信に影響を与えない頻度で監視信号を挿入する。本無線通信システムは、無線伝送データおよび監視信号に対してデータの開始と終了を指示するビット系列の挿入し、無線伝送データまたは監視信号の間に特定のビット系列のアイドル信号系列の挿入を行う。その後、従来技術で行われている光伝送用符号の符号化を行わず、そのままＥ／Ｏ変換を行う。受信側のデータ検出部４２において監視信号を取り出し、監視信号検査部６２が監視信号の検査を行う。
【００３６】
図７の光伝送データの構造と従来技術の図３の光伝送データの構造とを比べると、本実施形態は、フレーム構築と符号化の処理が削減される上に、ヘッダや光伝送用のＣＲＣを付与しないのでデータのオーバーヘッドが削減されている。監視信号が送られる頻度は無線伝送データが送られる頻度に比べて極めて少ないため、監視信号によるオーバーヘッドの影響は無視できる。なお、これらの手法は図６のようにダウンリンクとアップリンクの両方に適用してもよいが、ダウンリンクのみまたはアップリンクのみに適応してもよい。
【００３７】
（実施形態３）
図４で説明した無線通信システムにおいて、光伝送を行う際に、無線伝送データの通信に影響を与えない頻度で無線伝送データに監視用ＣＲＣの付与してもよい。図８は、本実施形態の無線通信システムの分散型無線通信基地局が行う光伝送の処理を説明する図である。本実施形態の分散型無線通信基地局において、データ制御部４１は、所定の頻度で、光伝送区間の異常を検知する監視用ＣＲＣを前記無線伝送データに付加し、データ検出部４２は、前記監視用ＣＲＣを検出し、光伝送区間の異常の有無を検知することを特徴とする。
【００３８】
また、本実施形態の無線通信システムの通信方法は、前記データ制御手順で、所定の頻度で、光伝送区間の異常を検知する監視用ＣＲＣを前記無線伝送データに付加し、前記データ検出手順で、前記監視用ＣＲＣを検出し、光伝送区間の異常の有無を検知することを特徴とする。
【００３９】
本実施形態の分散型無線通信基地局は、図４の構成に、監視用ＣＲＣ付与部８１と監視用ＣＲＣ検査部８２が追加される。図６の説明と同様に、監視用ＣＲＣ付与部８１と監視用ＣＲＣ検査部８２は、監視用ＣＲＣを用いて、中央局１１０もしくは無線端末１０１の受信信号品質が悪い場合に、中央局−無線端末間の伝送路において光伝送区間で異常があるのか、無線伝送区間のチャネル品質が劣化しているかの切り分けを行う。なお、監視用ＣＲＣの付与は全ての無線伝送データに対して行う必要はない。
【００４０】
図９は、本実施形態の無線通信システムの分散型無線通信基地局が行う光伝送の処理を説明する図である。本無線通信システムは、無線伝送データに従来技術で行われているヘッダや光伝送用のＣＲＣの付与を行わない。そして、本無線通信システムは、監視用ＣＲＣの付与を行った無線伝送データに対してデータの開始と終了を指示するビット系列の挿入し、無線伝送データ間に特定のビット系列のアイドル信号系列の挿入を行う。その後、従来技術で行われている光伝送用符号の符号化を行わず、そのままＥ／Ｏ変換を行う。受信側のデータ検出部４２において監視用ＣＲＣを付与した無線伝送データをコピーして取り出し、監視用ＣＲＣ検査部８２が監視用ＣＲＣの検査を行う。
【００４１】
図９の光伝送データの構造と従来技術の図３の光伝送データの構造とを比べると、本実施形態は、フレーム構築と符号化の処理が削減される上に、ヘッダや光伝送用のＣＲＣを付与しないのでデータのオーバーヘッドが削減されていることが分かる。監視用ＣＲＣが挿入される頻度は無線伝送データが送られる頻度に比べて極めて少ないため、監視用ＣＲＣのオーバーヘッドの影響は無視できる。なお、これらの手法は図８のようにダウンリンクとアップリンクの両方に適用してもよいが、ダウンリンクのみまたはアップリンクのみに適応してもよい。
【００４２】
（実施形態４）
図４で説明した無線通信システムにおいて、光伝送を行う際に、データ制御を行った信号に対して光伝送用符号の符号化を行うとともに、光伝送された信号に対して復号を行ってもよい。図１０は、本実施形態の無線通信システムの分散型無線通信基地局が行う光伝送の処理を説明する図である。本実施形態の前記分散型無線通信基地局は、前記データ制御部が生成した前記光伝送信号を光伝送する前に、前記光伝送信号を光伝送用符号で符号化する光符号化部と、受信した前記光伝送信号を前記伝送用符号で復号して前記データ検出部に渡す光復号部と、をさらに有する。
【００４３】
また、本実施形態の無線通信システムの通信方法は、前記分散型無線通信基地局において、前記データ制御手順で生成した前記光伝送信号を光伝送する前に、前記光伝送信号を光伝送用符号で符号化する光符号化手順と、前記データ検出手順の前に、受信した前記光伝送信号を前記伝送用符号で復号する光復号手順と、をさらに行うことを特徴とする。
【００４４】
本実施形態の分散型無線通信基地局は、図４の構成に、光伝送用符号で符号化を行う符号化部９１と光伝送用符号で復号する復号部９２が追加される。本実施形態の分散型無線通信基地局は、図４の分散型無線通信基地局と同様に無線伝送データに対してデータの開始と終了を指示するビット系列の挿入し、無線伝送データ間に特定のビット系列のアイドル信号系列の挿入を行う。その後、符号化部９１が従来技術で行われている光伝送用符号の符号化を行った後、Ｅ／Ｏ変換を行う。そして、復号部９２が光伝送されてきた信号に対して復号を行う。
【００４５】
図１１は、本実施形態の無線通信システムの分散型無線通信基地局が行う光伝送の処理を説明する図である。図１１の光伝送データの構造と従来技術の図３の光伝送データの構造とを比べると、本実施形態は、フレーム構築の処理が削減される上に、ヘッダや光伝送用のＣＲＣを付与しないのでデータのオーバーヘッドが削減されていることが分かる。なお、これらの手法は実施形態２における監視信号および実施形態３における監視用ＣＲＣを付与した無線データに適用しても良い。また図１０ようにダウンリンクとアップリンクの両方に適用してもよいが、ダウンリンクのみまたはアップリンクのみに適応してもよい。
【００４６】
［付記］
以下は、本実施形態の無線通信システムを説明したものである。
従来技術で中央局−分散局間で信号ビット系列を伝送する際には、無線伝送機能としてＣＲＣの付与やスクランブリングが既に行われているにも関わらず、光伝送機能としてさらにＣＲＣの付与やスクランブリングが行われている。このため、中央局から分散局にかけての伝送システムに冗長な機能が存在することによる遅延が生じていた。そこで、本発明は、送信信号に対して、無線伝送機能としてＣＲＣの付与やスクランブリングが既に行われていることを利用し、中央局−分散局間の光伝送で無線伝送データ部分を制御することにより、無線伝送機能と重複するスクランブリングおよびデスクランブリングを目的とする光伝送用符号の符号化および復号を不要とし、伝送遅延を改善することを目的とする。
【００４７】
（１）：（実施形態１：無線通信システム、ダウンリンク）
ひとつ又は複数のアンテナを備えるひとつ又は複数の分散局と、当該分散局を制御する中央局を備える無線通信システムであって、
前記中央局は、ＣＲＣビット系列の付与、無線伝送用の符号化、スクランブリングを行った無線伝送データに対して、データの開始を指示するビット系列と、データの終了を指示するビット系列と、を挿入し、前記無線伝送データ間にアイドル信号系列を挿入し、前記分散局のそれぞれに送信するとともに、
前記分散局のそれぞれは、前記中央局から受信した信号に対して、前記データの開始を指示するビット系列と前記データの終了を指示するビット系列からデータの有無を検出することを特徴とする無線通信システム。
【００４８】
（２）：（実施形態１：無線通信システム、アップリンク）ひとつ又は複数のアンテナを備えるひとつ又は複数の前記分散局と、当該分散局を制御する前記中央局を備える無線通信システムであって、
前記分散局のそれぞれは、前記無線伝送データに対して、前記データの開始を指示するビット系列と、前記データの終了を指示するビット系列と、を挿入し、前記無線伝送データ間に前記アイドル信号系列を挿入し、前記中央局に送信するとともに、
前記中央局は、前記分散局のそれぞれから受信した信号に対して、前記データの開始を指示するビット系列と前記データの終了を指示するビット系列からデータの有無を検出することを特徴とする無線通信システム。
【００４９】
（３）：（実施形態２：無線通信システム、ダウンリンク）
上記（１）記載の無線通信システムにおいて、
前記中央局は、２回以上の前記無線伝送データの伝送につき１回の頻度で誤り検出用の監視信号を付与し、前記監視信号に対して、前記データの開始を指示するビット系列と、前記データの終了を指示するビット系列と、を挿入し、前記無線伝送データおよび前記監視信号の間に前記アイドル信号系列を挿入し、前記分散局のそれぞれに送信するとともに、
前記分散局のそれぞれは、前記中央局から受信した信号から前記監視信号を取り出し、前記監視信号の検査を行い、誤りが検出された場合に光伝送区間異常通知を行うことを特徴とする無線通信システム。
【００５０】
（４）：（実施形態２無線通信システム、アップリンク）
上記（２）記載の無線通信システムにおいて、
前記分散局のそれぞれは、２回以上の前記無線伝送データの伝送につき１回の頻度で誤り検出用の前記監視信号を付与し、前記監視信号に対して、前記データの開始を指示するビット系列と、前記データの終了を指示するビット系列と、を挿入し、前記無線伝送データおよび前記監視信号の間に前記アイドル信号系列を挿入し、前記中央局に送信するとともに、
前記中央局は、前記分散局のそれぞれから受信した信号から前記監視信号を取り出し、前記監視信号の検査を行い、誤りが検出された場合に光伝送区間異常通知を行うことを特徴とする無線通信システム。
【００５１】
（５）：（実施形態３：無線通信システム、ダウンリンク）
上記（１）記載の無線通信システムにおいて、
前記中央局は、２回以上の前記無線伝送データの伝送につき１回の頻度で前記無線伝送データに対して監視用ＣＲＣビット系列を付与し、前記監視用ＣＲＣビット系列を付与した前記無線伝送データに対して、前記データの開始を指示するビット系列と、前記データの終了を指示するビット系列と、を挿入し、前記無線伝送データの間に前記アイドル信号系列を挿入し、前記分散局のそれぞれに送信するとともに、
前記分散局のそれぞれは、前記中央局から受信した信号から前記監視用ＣＲＣビット系列を付与した無線伝送データを複製して取り出し、前記監視用ＣＲＣビット系列を付与した無線伝送データの誤り検出を行い、誤りが検出された場合に光伝送区間異常通知を行うことを特徴とする無線通信システム。
【００５２】
（６）：（実施形態３：無線通信システム、アップリンク）
上記（２）記載の無線通信システムにおいて、
前記分散局のそれぞれは、２回以上の前記無線伝送データの伝送につき１回の頻度で前記無線伝送データに対して前記監視用ＣＲＣビット系列を付与し、前記監視用ＣＲＣビット系列を付与した前記無線伝送データに対して、前記データの開始を指示するビット系列と、前記データの終了を指示するビット系列と、を挿入し、前記無線伝送データの間に前記アイドル信号系列を挿入し、前記中央局に送信するとともに、
前記中央局は、前記分散局のそれぞれから受信した信号から前記監視用ＣＲＣビット系列を付与した無線伝送データを複製して取り出し、前記監視用ＣＲＣビット系列を付与した無線伝送データの誤り検出を行い、誤りが検出された場合に光伝送区間異常通知を行うことを特徴とする無線通信システム。
【００５３】
（７）：（実施形態４：無線通信システム、ダウンリンク）
上記（１）、（３）、（５）のいずれかに記載の無線通信システムにおいて、
前記中央局は、前記無線伝送データ、前記監視信号、前記監視用ＣＲＣビット系列を付与した無線伝送データのいずれかに前記データの開始を指示するビット系列と前記データの終了を指示するビット系列と前記アイドル系列を挿入したデータに対して、光伝送用符号の符号化を行い、前記分散局のそれぞれに送信するとともに、
前記分散局のそれぞれは、前記中央局から受信した信号に対して光伝送用符号の復号を行うことを特徴とする無線通信システム。
【００５４】
（８）：（実施形態４：無線通信システム、アップリンク）
上記（２）、（４）、（６）のいずれかに記載の無線通信システムにおいて、
前記分散局のそれぞれは、前記無線伝送データ、前記監視信号、前記監視用ＣＲＣビット系列を付与した無線伝送データのいずれかに前記データの開始を指示するビット系列と前記データの終了を指示するビット系列と前記アイドル系列を挿入したデータに対して、前記光伝送用符号の符号化を行い、前記中央局に送信するとともに、
前記中央局は、前記分散局のそれぞれから受信した信号に対して前記光伝送用符号の復号を行うことを特徴とする無線通信システム。
【００５５】
（９）：（実施形態１：通信方法、ダウンリンク）
ひとつ又は複数のアンテナを備えるひとつ又は複数の分散局と、当該分散局を制御する中央局を備える無線通信システムにおける通信方法であって、
前記中央局において、ＣＲＣビット系列の付与、無線伝送用の符号化、スクランブリングを行った前記無線伝送データに対して、データの開始を指示するビット系列と、データの終了を指示するビット系列と、を挿入し、前記無線伝送データ間にアイドル信号系列を挿入し、前記分散局のそれぞれに送信するとともに、
前記分散局のそれぞれにおいて、前記中央局から受信した信号に対して、前記データの開始を指示するビット系列と前記データの終了を指示するビット系列からデータの有無を検出する手段を備えることを特徴とする通信方法。
【００５６】
（１０）：（実施形態１：通信方法、アップリンク）
ひとつ又は複数のアンテナを備えるひとつ又は複数の前記分散局と、当該分散局を制御する前記中央局を備える無線通信システムにおける通信方法であって、
前記分散局のそれぞれにおいて、前記無線伝送データに対して、前記データの開始を指示するビット系列と、前記データの終了を指示するビット系列と、を挿入し、前記無線伝送データ間に前記アイドル信号系列を挿入し、前記中央局に送信するとともに、
前記中央局において、前記分散局のそれぞれから受信した信号に対して、前記データの開始を指示するビット系列と前記データの終了を指示するビット系列からデータの有無を検出する手段を備えることを特徴とする通信方法。
【００５７】
［効果］
本発明に係る無線通信システム及び通信方法は、中央局に基地局機能のうちの上位層機能と物理層機能の一部を搭載し、分散局に残りの物理層機能を搭載する無線通信システム構成において、無線伝送と光伝送で重複している冗長な機能および遅延増大の原因となる機能を削減し、遅延や装置コストの削減が可能となる。
【符号の説明】
【００５８】
４１：データ制御部
４２：データ検出部
６１：監視信号付与部
６２：監視信号検査部
８１：監視用ＣＲＣ付与部
８２：監視用ＣＲＣ検査部
１０１：無線端末
１１０：中央局
１２０：分散局
１３０：光伝送区間
３０１：無線通信システム
【図１】
0006031459.tif 000002
【図２】
0006031459.tif 000003
【図３】
0006031459.tif 000004
【図４】
0006031459.tif 000005
【図５】
0006031459.tif 000006
【図６】
0006031459.tif 000007
【図７】
0006031459.tif 000008
【図８】
0006031459.tif 000009
【図９】
0006031459.tif 000010
【図１０】
0006031459.tif 000011
【図１１】
0006031459.tif 000012